(57)【特許請求の範囲】
【請求項１】
１枚の熱収縮性フィルムを用いて直方体を包装し、該直方体の胴部に前記フィルムの周辺部同士を互いに重ね合わせ、熱接着により帯状のシール帯を強接着部と弱接着部とで形成し、前記フィルムを熱収縮してなるフィルム包装体において、前記帯状のシール帯の外側に配置したフィルムの少なくとも弱接着部に開封用切り込みを入れ、該開封用切り込みが前記外側フィルムの縁部まで至らないように設けたことを特徴とする開封性を改善したフィルム包装体。
【請求項２】
前記開封用切り込みを不連続的な多段階にすることを特徴とする請求項１記載の開封性を改善したフィルム包装体。
【発明の詳細な説明】
【０００１】
【産業上の利用分野】
本発明は開封テープ（ティアテープ）を用いずに開封性を良くした磁気記録媒体、光記録媒体等を収納するケース等の直方体に対するフィルム包装体に関する。
【０００２】
【従来の技術】
従来、製品の輸送や保管等に際しては、その価値と状態を保護するために、適切な材料、容器等を用いて包装を行なっている。特に、磁気記録媒体、光記録媒体等は塵埃が内部に侵入してテープやディスク等に付着すると、その性能を著しく損なってしまう。それ故、単品又は複数品にてフィルム包装している。一般に、フィルム製の包装体は薄くて強靱である上、フィルムを透明にすると、内部を透視できて好都合である。
【０００３】
例えば、テープカセットを包装する場合には、通常は製品を１巻、プラスチック製の直方体ケースに入れた後、１枚の熱収縮性フィルムを用いてケースをキャラメル包装し、そのケースの両側面と胴部にフィルムの周辺部同士を互いに重ね合わせ、熱接着によりシール部に当る強接着部と弱接着部とを並べてそれぞれ形成し、特に胴部ではシール部を帯状のシール帯に形成してフィルム全体を熱収縮する。すると、包装形態が図２１に示すような単品包装体１０になる。又は、このような単品包装体１０を複数巻例えば２段積み重ね、その積層した直方体に対してもう１度同様に包装すると、図２２に示すような複数品ダブル包装体１２になる。或いは、単品包装体せずに複数巻例えばケース１４を２段積み重ね、その積層した直方体に対して同様に包装すると、図２３に示すような複数品シングル包装体１６になる。なお、キャラメル包装とは通常キャラメルの箱に施されている包装形態である。
【０００４】
購入者がテープカセットを使用する場合、当然フィルム包装体１０、１２、１６等は取り除かなければならない。そこで、一般には開封手段として、図２４に示すように開封テープ１８をケースの一側面の近くで胴部シール帯２０と直交させて配置し、外装フィルム２２の内側（外装フィルム２２とケース又は個品包装フィルムとの間）に熱接着して用いている。又は、図２５に示すように開封テープを使用せず、胴部シール帯２４のケースの一側面の近くに重ねた外側と内側のフィルム２６を接着しない非接着部２８を設け、そこを開封口としている。そして、胴部シール帯２０又は２４を形成する外側に配置したフィルム（外側フィルム）２２又は２６の開封テープ１８や非接着部２８の近傍に、フィルム２２又は２６を破るきっかけとなる開封用の切り込みを１つ以上、後述するように外側フィルム２２又は２６の縁に達するように入れている。なお、開封用切り込みは製品（テープカセット収納ケース）をフィルム包装する包装機において、フィルム自動供給時に小口カッタにて入れる。
【０００５】
【発明が解決しようとする課題】
しかしながら、このような熱収縮性フィルム２２、２６は厚さが２０〜３０μｍあり、破れ方が一定しない。その上、熱収縮によりフィルム２２、２６がケースに密着している。このため、フィルムの破れ方を制御し難く、開封テープ１８を用いても、図２６に示すようにその周辺のフィルム２２が破れるだけであり、ケース３０から一部３２を取り除けても、フィルム２２の大部分３４がケース３０に密着したまま残ってしまったりする。又、胴部シール帯２４の非接着部２８を開封口にしたものでは、胴部シール帯２４の略半分が帯状に強接着部になっているため、非接着部２８の近傍にある強接着部に開封用切り込みを設けても、フィルム２６をその切り込みから破り難い。しかも、フィルム２６はその非接着部２８から胴部シール帯２４に沿っても剥がし難い。それ故、図２７に示すようにその非接着部２８にある外側フィルムの一部だけが小片３６となって取れ、ケース３８が少し露出するだけになってしまったりする。この結果、ナイフ等の道具を用いて残りのフィルムを切断しなければテープカセットを速やかに取り出せなくなる。
【０００６】
なお、胴部シール帯２４の全体を弱接着状態にして、外側フィルム２６の縁まで切断するように開封用切り込み４０を設けると、シュリンク炉に入れた時、外側フィルム２６が熱収縮して開封用切り込み４０が広がるように引っ張られ、図２８に示すように外側フィルム２６の開封用切り込み４０の近傍箇所に皺４２が発生し、或いは開封用切り込み４０から縮れ４４や捲れ４６が発生し易い。結局、フィルム包装体の品位が劣ったものになる。因みに、４８は外側フィルム２６の縁である。
【０００７】
本発明はこのような従来の問題点に着目してなされたものであり、開封テープを使用せず、胴部や側面にあるシール部の強接着部に非接着箇所や弱接着箇所を設けずに、フィルムに施す開封用切り込みの箇所等を選択してフィルムを破り易くし、広い範囲のフィルムを確実に速やかに取り除くことができる量産化に適し、品位の優れた開封性を改善したフィルム包装体を提供するを課題とする。
【０００８】
【課題を解決するための手段】
上記課題を達成するために、本発明による開封性を改善したフィルム包装体１０８では１枚の熱収縮性フィルム７０を用いて直方体５０を包装し、その直方体５０の胴部にフィルム７０の周辺部同士を互いに重ね合わせ、熱接着により帯状のシール帯１００を強接着部１１６と弱接着部１１０とで形成し、そのフィルム７０を熱収縮する。
【０００９】
そして、前記帯状のシール帯１００の外側に配置したフィルム７０の少なくとも弱接着部１１０に開封用切り込み６２を入れ、その開封用切り込み６２を外側フィルム７０の縁部まで至らないように設ける。
又、開封用切り込み１８４を不連続的な多段階にすると好ましくなる。
【００１０】
【作用】
上記のように構成すると、帯状のシール帯１００の強接着部１１６を一様に強く接着できる。しかも、開封用切り込み６２を少なくとも弱接着部１１０に設け、外側フィルム７０の縁まで切断するようには設けていないため、フィルム７０の熱収縮時にも開封用切り込み６２が広がらない。それ故、開封用切り込み６２の近傍箇所に皺、縮れ、捲れ等が発生しない。開封時には先ず爪先を開封用切り込み６２に入れ、外側フィルム７０を少し掻く。すると、開封用切り込み６２は少なくとも弱接着部１１０に設けられているため、外側フィルム７０の弱接着部１１０を形成する一部が内側に配置したフィルム７０より簡単に剥がれる。
【００１１】
そこで、剥がれた小片を摘んで、帯状のシール帯１００の強接着部１１６に沿うように引っ張ると、外側フィルム７０が強接着部１１６に沿って破れて行く。何故なら、強接着部１１６の部分はフィルム７０の周辺部８６等を互いに重ね合わせて強く接着してあり、弱接着部１１０との境目１１３が破れ易いからである。そして、強接着部１１６に沿って必要な長さだけ破った後、その破り長さを幅にしてフィルム７０の新たに形成された縁部を摘んで、更に強接着部１１６と直角方向に引っ張る。すると、直方体４０の胴部を覆うフィルム７０の大部分を確実に速やかに取り除ける。なお、開封用切り込み１２８の場合には胴部シール帯１４２の強接着部１４４と直角方向に少し引っ張った後に、フィルム１３２の新たに形成された縁部を摘んで強接着部１４４に沿うように引っ張る。
【００１２】
又、開封用切り込み１８４を不連続的な多段階にすると、単位切り込み２０４の数、長さ、配置等を適宜選択できる。そして、開封時に選んだ単位切り込み２０４に爪先を入れ、外側フィルム１８８を少し掻いて一部を破り、その小片を摘んで引っ張ると、隣接する単位切り込み２０４の間が順次破れて全ての単位切り込み２０４がつながる。それ故、破り箇所の長さ、形状、破り方向を選択でき、その後フィルム１８８を破り易くなる。
【００１３】
【実施例】
以下、添付図面に基づいて、本発明の実施例を説明する。
図１は本発明を適用した一実施例たる開封性を改善したフィルム包装体の２段重ねしたオーディオテープカセット収納ケースに対する包装状態を示す斜視図、図２はその包装工程を示す図である。図中、５０はオーディオテープカセットを１巻収納したプラスチック製の直方体ケース、５２はその２段重ねしたケース５０に包装するフィルムを巻いたフィルムロール、５４はそのフィルムロール５２から矢印方向に引き出したポリプロピレン、ポリ塩化ビニール等の熱収縮性フィルム、５６はその長尺フィルム５４を案内するガイドロール、５８は長尺フィルム５４に開封用の切り込みを入れる小口カッタ付きロール、６０はその小口カッタ付きロール５８を受ける受けロールである。なお、小口カッタ付きロール５８には回転軸を有する円筒体の外周面の所定箇所に小口カッタ（図示なし）が備えられている。
【００１４】
これ等の小口カッタ付きロール５８と受けロール６０を用いると、それ等のロール５８、６０で長尺フィルム５４を挟持し、小口カッタで図３に示すように長尺フィルム５４の所定箇所に一定間隔毎に直線状の開封用切り込み６２をそれぞれ入れることができる。その際、開封用切り込み６２の長さを４〜８ｍｍ程にするのが好ましい。そして、ロール５８、６０より後方に設置した１対のニップロール６４で長尺フィルム５４を繰り出し、その長尺フィルム５４に引っ張りを与えておく。なお、開封用切り込み６２は太い実線で示す。
【００１５】
又、このような長尺フィルム５４の切断箇所を示すのが二点鎖線６６であり、包装に備えた折り曲げ箇所を示すのが点線６８である。それ故、長尺フィルム５４の二点鎖線６６で仕切られた間の長方形の部分が２段重ねしたケース５０からなる直方体を包装するための一枚のフィルム７０となる。そして、点線６８で長方形状にそれぞれ囲まれた部分７２、７４、７６と二点鎖線６６と点線６８で長方形状にそれぞれ囲まれた部分７８、８０とで後述する工程を経てフィルム包装体の胴部を形成し、その他の部分で両側面を形成する。
【００１６】
又、フィルム７０の細い実線８２より外側に当る周辺部８４をシール部の強接着部を形成するため、無印刷箇所にする。そして、二点鎖線６６とその近傍にある細い実線８２及びその両方向への延長線とで仕切られた間の細長い長方形周辺部８６を胴部シール帯の強接着部を形成する際に外側に配置する重ね部分にする。又、点線６８と細い実線８２とフィルム７０の縁８８とで囲まれた台形状の周辺部９０、９２を両側面シール部の強接着部を形成する際にそれぞれ外側に配置する重ね部分にする。
【００１７】
このようにして、開封用切り込み６２を入れた長尺フィルム５４を切断カッタ９４付きの回転ロール９６を経て送り出し、２段重ねしたケース５０の胴部に１枚のフィルム７０に相当する部分の巻き付けを行なう。なお、９８は切断カッタ９４の受け固定刃である。そして、切断カッタ９４で二点鎖線６６を切断し、長方形のフィルム７０を分離する。なお、ロール９６が回転すると、一定時間毎に切断カッタ９４が長尺フィルム５４に当るため、長尺フィルム５４を送り出して端から二点鎖線６６の位置で切断して行き、次々と一定の長さの長方形フィルム７０を形成できる。
【００１８】
このフィルム７０を巻回した２段重ねしたケース５０を胴部シール帯形成工程に送る。すると、２段重ねしたケース５０を矢印方向に回転させながら、その胴部にフィルム７０を筒状に巻き付け、フィルム７０の対応する長方形周辺部を互いに重ね合わせ、加熱ヒーターの接触による熱接着により、胴部シール帯１００として帯状に一様に強く接着した強接着部と帯状に一様に弱く接着した弱接着部とを並べてそれぞれ形成できる。その際、外側に配置した内面印刷なしの周辺部８６と内側に配置した外面印刷なしの周辺部との重ね合わせ箇所が強接着部になり、外側に配置した内面印刷ありの周辺部と内側に配置した外面印刷なしの周辺部との重ね合わせ箇所が弱接着部になる。
【００１９】
次に、側面シール部形成工程に送る。すると、２段重ねしたケース５０の両側面に向けて配設した折り込み加熱装置１０２（１０２ａ、１０２ｂ）により、それ等のケース５０から突出する筒状フィルム７０の両端部をそれぞれ各側面に接触するように折り込んだ後、やはりフィルム７０の周辺部９０、９２等をそれぞれ対応する部分と互いに重ね合わせ、熱接着して２段重ねしたケース５０の両側面に側面シール部１０４をそれぞれ形成できる。これ等の側面シール部１０４も強接着部と弱接着部とからなり、両者は隣接する。次に、熱収縮工程に送る。すると、シュリンク炉１０６を通過させることにより、フィルム７０が熱収縮（シュリンク）して２段重ねしたケース５０の全ての外面に密着し、図１に示すようなフィルム包装体１０８が完成する。
【００２０】
このようなフィルム包装体１０８ではフィルム７０に設けた開封用切り込み６２が２段重ねしたケース５０の底面を覆うフィルム７０の胴部シール帯１００の弱接着部１１０を形成する外側に配置したフィルム（外側フィルム）７０に入る。しかも、開封用切り込み６２は２段重ねしたケース５０の一側面寄り位置にあり、胴部シール帯１００の長手方向に対して直角方向に向く。そこで、図４に示すように開封用切り込み６２の近傍に開封口であることを表示するＯＰＥＮ等の文字や矢印を印ておく。図中、１１２は外側に配置したフィルム（外側フィルム）７０の縁、１１４は内側に配置したフィルム（内側フィルム）７０の縁である。なお、開封用切り込みは１ｍｍ以内ならば強接着部１１６にもかかるように設けてもよいが、外側フィルム７０の縁部まで至るように設けてはならない。何故なら、開封用切り込みが１ｍｍ以内ならば強接着部１１６に掛かっても破る妨げとはならないが、外側フィルム７０の縁部まで入れると、フィルム７０の熱収縮時に開封用切り込みが広がり易くなり、その近傍箇所に皺、縮れ、捲れ等が発生し易いからである。
【００２１】
次に、このようにしてフィルム包装した２段重ねのケース５０を段ボール箱収納工程に送る。すると、順次段ボール箱１１８に入れ、接着テープ１２０等を用いて封をして保管或いは輸送等を行なえる。販売時には、当然段ボール箱１１８から出してフィルム包装したまま店頭に陳列する。それ故、購入者がオーディオテープカセットを使用する場合にはフィルム包装体１０８を破って取り除かなければならない。その際、胴部シール帯１００の弱接着部１１０に設けた開封用切り込み６２を開封口にする。そして、開封時には先ず爪先を開封用切り込み６２に入れ、外側フィルム７０を強接着部１１６に沿う方向に少し掻く。すると、開封用切り込み６２が弱接着部１１０に設けられているため、外側フィルム７０の一部が内側フィルム７０より簡単に剥がれる。
【００２２】
そこで、剥がれた小片を摘んで、胴部シール帯１００の強接着部１１６に沿うように引っ張ると、図５に示すように外側フィルム７０の一部１１０を開封用切り込み６２の長さを幅としてほぼ保ったまま、強接着部１１６に沿わせて必要な長さだけ破ることができる。何故なら、強接着部１１６の部分はフィルム７０の周辺部８６等を互いに重ね合わせて強く接着してあるため、両者１１０、１１６の境目１１３に沿って破れ易くなっているからである。次に、その破り長さを幅にして、フィルム７０の新たに形成された縁部を摘み、強接着部１１６の長手方向と直角方向で離れる方向に引っ張る。すると、フィルム７０の一部１２４が破り長さを幅として保ったまま広い範囲に亘って破れるので、更に２段重ねしたケース５０の胴部を回るように引っ張ると、胴部を覆うフィルム７０の大部分を確実に速やかに取り除ける。
【００２３】
図７は本発明を適用した他の一実施例たる開封性を改善したフィルム包装体の原材料に当る長尺フィルムのフィルム包装体の内側から見た展開状態を示す平面図である。図中、１２６が長尺フィルム、その長尺フィルム１２６における太い実線１２８が開封用切り込み、二点鎖線１３０が切断線、二点鎖線１３０で仕切った間の部分１３２が１枚の長方形フィルムである。又、点線１３４が折り曲げ線、細い実線１３６から外側の周辺部１３８がシール部の強接着部形成用の無印刷箇所である。しかし、上述した長方形フィルム７０と比べると、開封用切り込み１２８たる太い実線の方向が異なる。
【００２４】
この長方形フィルム１３２を用い、オーディオテープカセット収納ケースを２個積み重ねたものにキャラメル包装を施して熱収縮すると、図８に示すようなフィルム包装体１４０が完成する。図中、１４２が２段重ねしたケースの底面を覆うフィルム１３２の胴部シール帯、１４４がその強接着部、１４６が弱接着部である。そして、開封用切り込み１２８が弱接着部１４６を形成する外側フィルム１３２に入る。しかも、開封用切り込み１２８は２段重ねしたケースの一側面寄り位置にあり、強接着部１４４の長手方向に平行となる。それ故、フィルム包装体１０８と比べると、開封用切り込み１２８の配置方向が異なる。そこで、図９に示すように開封用切り込み１２８の近傍に同様の開封表示を施しておく。なお、１４８が外側フィルム１３２の縁、１５０が内側フィルム１３２の縁である。
【００２５】
購入者がオーディオテープカセットを使用するため、フィルム包装体１４０を取り除く場合、やはり開封用切り込み１２８を開封口にする。そして、開封時には爪先を開封用切り込み１２８に入れ、外側フィルム１３２を強接着部１４４と直角方向で離れる方向に少し掻く。すると、開封用切り込み１２８が弱接着部１４６に設けられているため、外側フィルム１３２の一部が内側フィルム１３２より簡単に剥がれる。
【００２６】
そこで、剥がれた小片を摘んで図１０に示すように更に強接着部１４４に直角方向に引っ張ると、開封用切り込み１２８の長さを幅としてほぼ保ったまま、フィルム１３２の一部１５２を剥ぐことができる。次に、フィルム１３２の新たに形成された縁部を摘んで、強接着部１４４に沿うように引っ張ると、図１１に示すようにやはり外側フィルム１３２の一部１５４を強接着部１４４に沿わせて必要な長さだけ剥ぐことができる。次に、その破り長さを幅にして、フィルム１３２の新たに形成された縁部を摘み、強接着部１４４と直角方向で離れる方向に引っ張る。すると、フィルム１３２の一部が破り長さを幅として保ったまま広い範囲に亘って剥がれるので、更に２段重ねしたケース１５６の胴部を回るように引っ張ると、やはり胴部を覆うフィルム１３２の大部分を確実に速やかに取り除ける。
【００２７】
上記各実施例では開封用切り込みを直線状にしたが、曲線状にしてもよい。例えば、図１２に示すように外側フィルムに入れる開封用切り込み１５８をＵ形にし、その口側を開封方向に向けて配設する。図中、１６０が胴部シール帯、１６２がその強接着部、１６４が弱接着部、１６６が外側フィルムの縁、１６８が内側フィルムの縁である。或いは、図１３に示すように外側フィルムに入れる開封用切り込み１７０をＶ形にし、その口側を開封方向に向けて配設する。図中、１７２が胴部シール帯、１７４がその強接着部、１７６が弱接着部、１７８が外側フィルムの縁、１８０が内側フィルムの縁である。
【００２８】
図１４は本発明を適用した他の一実施例たる開封性を改善したフィルム包装体の原材料に当る長尺フィルムのフィルム包装体の内側から見た展開状態を示す平面図である。図中、１８２が長尺フィルム、その長尺フィルム１８２における太い実線１８４が開封用切り込み、二点鎖線１８６が切断線、二点鎖線１８６で仕切った間の部分１８８が１枚の長方形フィルムである。又、点線１９０が折り曲げ線、細い実線１９２から外側の周辺部１９４がシール部の強接着部形成用の無印刷箇所である。しかし、上述した長方形フィルム７０と比べると、開封用切り込み１８４が異なる。
【００２９】
この長方形フィルム１８８を用い、オーディオテープカセット収納ケースを２個積み重ねたものにキャラメル包装を施して熱収縮すると、図１５に示すようなフィルム包装体１９６が完成する。図中、１９８が２段重ねしたケースの底面を覆うフィルム１８８の胴部シール帯、２００がその強接着部、２０２が弱接着部である。そして、開封用切り込み１８４が弱接着部２０２を形成する外側フィルム１８８の２段重ねしたケースの一側面寄り位置に入る。この開封用切り込み１８４は不連続的な多段階構造を有し、強接着部２００に平行な５個の単位切り込み２０４を互いに離して大略山形状に配置したものである。しかも、弱接着部の強度と開封し易さを考慮して、隣接する単位切り込み２０４の間の距離を１．５〜２ｍｍ程にし、各単位切り込み２０４の長さを５〜１０ｍｍ程にするのが好ましい。やはり、図１６に示すように開封用切り込み１８４の近傍に同様の開封表示を施しておく。なお、２０６が外側フィルムの縁、２０８が内側フィルムの縁である。
【００３０】
購入者がオーディオテープカセットを使用するため、フィルム包装体１９６を取り除く場合、やはり開封用切り込み１８４を開封口にする。そして、開封時には爪先を例えば頂点に位置する単位切り込み２０４に入れ、外側フィルム１８８を強接着部２００と直角方向に少し掻く。すると、開封用切り込み１９６が弱接着部２０２に設けられているため、外側フィルム１８８の一部が内側フィルム１８８より簡単に剥がれる。
【００３１】
そこで、剥がれた小片を摘んで更に強接着部２００に直角方向に引っ張ると、隣接する単位切り込み２０４の間が順次破れて行き、全ての単位切り込み２０４がつながって、図１７に示すように外側フィルム１８８の一部２１０が内側フィルム１８８より広い範囲に亘って剥がれる。更に、強接着部２００に直角方向に引っ張ると、開封用切り込み１８４の両端間の長さを幅としてほぼ保ったまま、図１８に示すようにフィルム１８８の一部２１２を破ることができる。
【００３２】
そこで、フィルム１８８の新たに形成された縁部を摘んで強接着部２００に沿うように引っ張り、やはり外側フィルム１８８の一部を強接着部２００に沿わせて必要な長さだけ破る。次に、その破り長さを幅にしてフィルム１８８の新たに形成された縁部を摘み、強接着部２００と直角方向に引っ張る。すると、フィルム１８８の一部が破り長さを幅として保ったまま広い範囲に亘って剥がれるので、更に２段重ねしたケース２１４の胴部を回るように引っ張ると、やはり胴部を覆うフィルム１８８のの大部分を確実に速やかに取り除ける。
【００３３】
上記各実施例では不連続的な多段階構造を有する開封用切り込みを構成するため、５個の単位切り込みを互いに離して大略山形状に配置したが、３個以上の単位切り込みを互いに離して階段状に配置すればよい。例えば、図１９に示すように外側フィルムに入れる３個の単位切り込み２１６をいずれも強接着部２１８に平行にし、互いに離して階段状に配置して開封用切り込み２２０を構成する。図中、２２２が胴部シール帯、２２４が弱接着部、２２６が外側フィルムの縁、２２８が内側フィルムの縁である。或いは、図２０に示すように外側フィルムに入れる６個の単位切り込み２３０をいずれも強接着部２３２に対して同一角度で少し傾斜させ、互いに離して階段状に配置して開封用切り込み２３４を構成する。図中、２３６が胴部シール帯、２３８が弱接着部、２４０が外側フィルムの縁、２４２が内側フィルムの縁である。
【００３４】
【発明の効果】
請求項１では帯状のシール帯の外側に配置したフィルムの少なくとも弱接着部に開封用切り込みを入れ、その開封用切り込みを外側フィルムの縁部まで至らないように設けるため、フィルムの熱収縮時にも開封用切り込みが広がらない。それ故、開封用の切り込みの近傍に皺、縮れ、捲れ等が発生せず、品質が優れたものになる。開封時には爪先を開封用切り込みに入れ、外側フィルムを少し掻くと、開封用切り込みは少なくとも弱接着部に設けられているため、外側フィルムの一部を内側フィルムより簡単に剥ぐことができる。それ故、剥がれた小片を摘みとして用い、外側フィルムを強接着部に沿って必要な長さだけ破り、その破り長さを幅にして、強接着部と直角方向に引っ張る等して、直方体の胴部を覆うフィルムの大部分を確実に速やかに取り除ける。
【００３５】
このため、開封テープを必要とせず、製品を安価にできる。又、開封に備えて胴部や側面にあるシール部の強接着部に非接着箇所や弱接着箇所等を設ける必要もなく、仕上がりが良好になる。しかも、熱接着を簡単に行なえるし、側面接着、胴接着不良等の品質不良が減ってフィルムの歩留まりが良くなり、生産性が向上する。従って、量産化に適する。
【００３６】
請求項２では開封用切り込みを不連続的な多段階にするため、単位切り込みの数、長さ、配置等を選択できる。そして、開封時に爪先を入れる単位切り込みを選び、外側フィルムを掻き、小片を形成して引っ張り、全ての単位切り込みをつなげて、破り箇所の長さ、形状、破り方向等を選択できる。それ故、フィルムを破り易くすることができる。
【図面の簡単な説明】
【図１】本発明を適用した一実施例たる開封性を改善したフィルム包装体の２段重ねしたオーディオテープカセット収納ケースを包装した状態を示す底面側から見た斜視図である。
【図２】同開封性を改善したフィルム包装体の２段重ねしたオーディオテープカセット収納ケースに対する包装工程等を示す図である。
【図３】同開封性を改善したフィルム包装体の原材料に当る長尺フィルムのフィルム包装体の内側から見た展開状態を示す平面図である。
【図４】同開封性を改善したフィルム包装体の胴部シール帯を示す底面図である。
【図５】同開封性を改善したフィルム包装体の開封用切り込みを起点として強接着部に沿って弱接着部にある外側フィルムの一部を剥がした状態を示す底面図である。
【図６】同開封性を改善したフィルム包装体の開封用切り込みを起点として形成した破り口からオーディオテープカセット収納ケースの底面を覆うフィルムを広い範囲に亘って剥がした状態を示す底面図である。
【図７】本発明を適用した他の一実施例たる開封性を改善したフィルム包装体の原材料に当る長尺フィルムのフィルム包装体の内側から見た展開状態を示す平面図である。
【図８】同開封性を改善したフィルム包装体の２段重ねしたオーディオテープカセット収納ケースを包装した状態を示す底面側から見た斜視図である。
【図９】同開封性を改善したフィルム包装体の胴部シール帯を示す底面図である。
【図１０】同開封性を改善したフィルム包装体の開封用切り込みを起点として強接着部と直角方向に弱接着部にある外側フィルムの一部を剥がした後、更に同一方向にフィルムを少し剥がした状態を示す底面図である。
【図１１】同開封性を改善したフィルム包装体の開封用切り込みを起点として形成した破り口からオーディオテープカセット収納ケースの底面を覆うフィルムを広い範囲に亘って剥がした状態を示す底面図である。
【図１２】本発明を適用した他の一実施例たる開封性を改善したフィルム包装体の胴部シール帯を示す底面図である。
【図１３】本発明を適用した他の一実施例たる開封性を改善したフィルム包装体の胴部シール帯を示す底面図である。
【図１４】本発明を適用した他の一実施例たる開封性を改善したフィルム包装体の原材料に当る長尺フィルムのフィルム包装体の内側から見た展開状態を示す平面図である。
【図１５】同開封性を改善したフィルム包装体の２段重ねしたオーディオテープカセット収納ケースを包装した状態を示す底面側から見た斜視図である。
【図１６】同開封性を改善したフィルム包装体の胴部シール帯を示す底面図である。
【図１７】同開封性を改善したフィルム包装体の開封用切り込みを起点として強接着部と直角方向に弱接着部にある外側フィルムの一部を剥がした状態を示す底面図である。
【図１８】同開封性を改善したフィルム包装体の開封用切り込みを起点として強接着部と直角方向に弱接着部にある外側フィルムの一部を剥がした後、更に同一方向にフィルムを剥がした状態を示す底面図である。
【図１９】本発明を適用した他の一実施例たる開封性を改善したフィルム包装体の胴部シール帯を示す底面図である。
【図２０】本発明を適用した他の一実施例たる開封性を改善したフィルム包装体の胴部シール帯を示す底面図である。
【図２１】従来のシュリンクしたキャラメル包装によるフィルム包装体のオーディオテープカセット収納ケースに対する包装状態を示す斜視図である。
【図２２】同フィルム包装体の個別にフィルム包装し、積層したオーディオテープカセット収納ケースに対する包装状態を示す斜視図である。
【図２３】同フィルム包装体の積層した複数のオーディオテープカセット収納ケースに対する包装状態を示す斜視図である。
【図２４】同フィルム包装体に開封テープを備えた状態を示す底面側から見た斜視図である。
【図２５】同フィルム包装体の胴部シール帯に開封に備えて非接着部を設けた状態を示す底面側から見た斜視図である。
【図２６】同フィルム包装体に備えた開封テープによる開封状態を示す斜視図である。
【図２７】同フィルム包装体の胴部シール帯に設けた非接着部から開封した状態を示す斜視図である。
【図２８】同フィルム包装体の胴部シール帯に設けた開封用切り込みの近傍を示す斜視図である。
【符号の説明】
５０、１５６、２１４…オーディオテープカセット収納ケース  ５２…フィルムロール  ５４、１２６、１８２…長尺フィルム  ５８…小口カッタ付きロール６２、１２８、１５８、１７０、１８４、２２０、２３４…開封用切り込み  ６６、１３０、１８６…切断線  ６８、１３４、１９０…折り曲げ線  ７０、１３２、１８８…長方形フィルム  ７２、７４、７６、７８、８０…胴部形成部  ８４、１３８、１９４…周辺部（無印刷箇所）  ８６…胴部シール帯の強接着部形成箇所  ９０、９２…側面シール部の強接着部形成箇所  ９６…切断カッタ付きロール  １００、１４２、１６０、１７２、１９８、２２２、２３６…胴部シール帯  １０２…折り込み加熱装置  １０６…シュリンク炉  １０８、１４０、１９６…フィルム包装体  １１０、１４６、１６４、１７６、２０２、２２４、２３８…弱接着部  １１２、１４８、１６６、１７８、２０６、２２６、２４０…外側フィルムの縁  １１４、１５０、１６８、１８０、２０８、２２８、２４２…内側フィルムの縁  １１６、１４４、１６２、１７４、２００、２１８、２３２…強接着部  ２０４、２１６、２３０…単位切り込み
【図１】
0003622865.tif 000002
【図３】
0003622865.tif 000003
【図２】
0003622865.tif 000004
【図４】
0003622865.tif 000005
【図５】
0003622865.tif 000006
【図６】
0003622865.tif 000007
【図７】
0003622865.tif 000008
【図８】
0003622865.tif 000009
【図９】
0003622865.tif 000010
【図１０】
0003622865.tif 000011
【図１１】
0003622865.tif 000012
【図１２】
0003622865.tif 000013
【図１３】
0003622865.tif 000014
【図１４】
0003622865.tif 000015
【図１５】
0003622865.tif 000016
【図１６】
0003622865.tif 000017
【図１７】
0003622865.tif 000018
【図１８】
0003622865.tif 000019
【図１９】
0003622865.tif 000020
【図２０】
0003622865.tif 000021
【図２１】
0003622865.tif 000022
【図２２】
0003622865.tif 000023
【図２３】
0003622865.tif 000024
【図２４】
0003622865.tif 000025
【図２５】
0003622865.tif 000026
【図２６】
0003622865.tif 000027
【図２７】
0003622865.tif 000028
【図２８】
0003622865.tif 000029